【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
送信機から圧縮されたパケット送信を受信することと、
前記圧縮されたパケット送信に関連するコンテキストを決定することと、
前記圧縮されたパケット送信が未知のコンテキストに関連すると決定することに応答して、受信機から前記送信機へ、周期的冗長検査（ＣＲＣ）で保護されたコード化された否定応答メッセージ（ＮＡＣＫ）を送ることと、
前記コード化されたＮＡＣＫを送った後に、前記送信機から圧縮されたパケット送信を受信することと、
前記コンテキストを生成するための情報を送ることを前記送信機に行わせるために、前記コード化されたＮＡＣＫを送った後の前記圧縮されたパケット送信が前記コンテキストを生成するための前記情報を含み損なっていることに応答して、前記送信機に静的な否定応答メッセージ（ＳＴＡＴＩＣ−ＮＡＣＫ）を送ることと、
前記ＳＴＡＴＩＣ−ＮＡＣＫを送った後に、圧縮されたパケット送信を前記送信機から受信することと、
前記コンテキストを生成するための情報を前記送信機から受信するまで、前記コード化されたＮＡＣＫを送ることまたは前記ＳＴＡＴＩＣ−ＮＡＣＫを送ること、を繰り返すことと
備える、方法。
【請求項２】
前記コード化された否定応答メッセージは、前記受信機が動的データ送信に関連する正確な動的コンテキストを欠くことを示す情報を備える、請求項１に記載の方法。
【請求項３】
前記静的な否定応答メッセージは、前記受信機が前記圧縮されたパケット送信に関連する前記コンテキストを欠くことを示す情報を備える、請求項１に記載の方法。
【請求項４】
前記コード化された否定応答メッセージは、エラー検査メカニズムを備える、請求項１に記載の方法。
【請求項５】
ワイヤレス通信のために構成された装置であって、
送信機から圧縮されたパケット送信を受信するための手段と、
前記圧縮されたパケット送信に関連するコンテキストを決定するための手段と、
前記圧縮されたパケット送信が未知のコンテキストに関連すると決定することに応答して、受信機から前記送信機へ、周期的冗長検査（ＣＲＣ）で保護されたコード化された否定応答メッセージ（ＮＡＣＫ）を送るための手段と、
前記コード化されたＮＡＣＫを送った後に、前記送信機から圧縮されたパケット送信を受信するための手段と、
前記コンテキストを生成するための情報を送ることを前記送信機に行わせるために、前記コード化されたＮＡＣＫを送った後の前記圧縮されたパケット送信が前記コンテキストを生成するための前記情報を含み損なっていることに応答して、前記送信機に静的な否定応答メッセージ（ＳＴＡＴＩＣ−ＮＡＣＫ）を送るための手段と、
前記ＳＴＡＴＩＣ−ＮＡＣＫを送った後に、圧縮されたパケット送信を前記送信機から受信するための手段と、
前記コンテキストを生成するための情報を前記送信機から受信するまで、前記コード化されたＮＡＣＫを送ることまたは前記ＳＴＡＴＩＣ−ＮＡＣＫを送ること、を繰り返すための手段と
を備える、装置。
【請求項６】
前記コード化された否定応答メッセージは、前記受信機が動的データ送信に関連する正確な動的コンテキストを欠くことを示す情報を備える、請求項５に記載の装置。
【請求項７】
前記静的な否定応答メッセージは、前記受信機が前記圧縮されたパケット送信に関連する前記コンテキストを欠くことを示す情報を備える、請求項５に記載の装置。
【請求項８】
前記コード化された否定応答メッセージは、エラー検査メカニズムを備える、請求項５に記載の装置。
【請求項９】
少なくとも１つのプロセッサによって実行されると、請求項１乃至４のいずれかに記載の方法を実行するための命令を備える、コンピュータプログラム。
【手続補正２】
【補正対象書類名】明細書
【補正対象項目名】００７３
【補正方法】変更
【補正の内容】
【００７３】
[0076]  本開示の先の説明は、当業者が本開示を製造または使用することを可能にするために提供されている。本開示への様々な修正は、当業者にとって容易に明らかとなり、ここに定義された一般的な原理は、本開示の範囲または精神から逸脱することなく、他のバリエーションに適用され得る。したがって、本開示は、ここに説明された例および設計に限定されるようには意図されておらず、ここに開示された原理および新規な特徴と一致する最も広い範囲を与えられるべきである。
以下に本願の出願当初の特許請求の範囲に記載された発明を付記する。
［Ｃ１］
ワイヤレス通信の方法であって、
送信機から圧縮されたパケット送信を受信することと、
前記圧縮されたパケット送信に関連するコンテキストを決定することと、
前記圧縮されたパケット送信が未知のコンテキストに関連すると決定することに応答して、受信機から前記送信機へ、周期的冗長検査（ＣＲＣ）で保護されたコード化された否定応答メッセージを送ることと、
前記送信機から後続のパケット送信を受信することと、
前記コンテキストを生成するための情報を送ることを前記送信機に要求するために、前記後続の圧縮されたパケット送信が前記コンテキストを生成するための前記情報を含み損なっていることに応答して、前記送信機に静的な否定応答メッセージを送ることと、
備える、方法。
［Ｃ２］
前記送信機から、前記コンテキストを生成するための前記情報を受信するまで、
前記コード化された否定応答メッセージを前記送ること、または、
前記コード化された否定応答メッセージを前記送ること、および前記静的な否定応答メッセージを前記送ること、
のうちの１つを繰り返すこと
をさらに備える、Ｃ１に記載の方法。
［Ｃ３］
前記コード化された否定応答メッセージは、前記受信機が動的データ送信に関連する正確な動的コンテキストを欠くことを示す情報を備える、Ｃ１に記載の方法。
［Ｃ４］
前記静的な否定応答メッセージは、前記受信機が前記圧縮されたパケット送信に関連する前記コンテキストを欠くことを示す情報を備える、Ｃ１に記載の方法。
［Ｃ５］
前記コード化された否定応答メッセージは、エラー検査メカニズムを備える、Ｃ１に記載の方法。
［Ｃ６］
ワイヤレス通信のために構成された装置であって、
少なくとも１つのプロセッサと、
前記少なくとも１つのプロセッサに結合されたメモリと、
を備え、
ここにおいて、前記少なくとも１つのプロセッサは、
送信機から圧縮されたパケット送信を受信することと、
前記圧縮されたパケット送信に関連するコンテキストを決定することと、
前記圧縮されたパケット送信が未知のコンテキストに関連すると決定することに応答して、受信機から前記送信機へ、周期的冗長検査（ＣＲＣ）で保護されたコード化された否定応答メッセージを送ることと、
前記送信機から後続のパケット送信を受信することと、
前記コンテキストを生成するための情報を送ることを前記送信機に要求するために、前記後続の圧縮されたパケット送信が前記コンテキストを生成するための前記情報を含み損なっていることに応答して、前記送信機に静的な否定応答メッセージを送ることと、  を行うように構成される、装置。
［Ｃ７］
前記少なくとも１つのプロセッサは、
前記送信機から、前記コンテキストを生成するための前記情報を受信するまで、
前記コード化された否定応答メッセージを送ることを行う、または、
前記コード化された否定応答メッセージを送ることを行う、および前記静的な否定応答メッセージを送ることを行う、
前記少なくとも１つのプロセッサの前記構成のうちの１つを繰り返すこと
を行うようにさらに構成される、Ｃ６に記載の装置。
［Ｃ８］
前記コード化された否定応答メッセージは、前記受信機が動的データ送信に関連する正確な動的コンテキストを欠くことを示す情報を備える、Ｃ６に記載の装置。
［Ｃ９］
前記静的な否定応答メッセージは、前記受信機が前記圧縮されたパケット送信に関連する前記コンテキストを欠くことを示す情報を備える、Ｃ６に記載の装置。
［Ｃ１０］
前記コード化された否定応答メッセージは、エラー検査メカニズムを備える、Ｃ６に記載の装置。
［Ｃ１１］
プログラムコードを記録した非一時的なコンピュータ読み取り可能な媒体であって、前記プログラムコードは、
コンピュータに、
送信機から圧縮されたパケット送信を受信することと、
前記圧縮されたパケット送信に関連するコンテキストを決定することと、
前記圧縮されたパケット送信が未知のコンテキストに関連すると決定することに応答して、受信機から前記送信機へ、周期的冗長検査（ＣＲＣ）で保護されたコード化された否定応答メッセージを送ることと、
前記送信機から後続のパケット送信を受信することと、
前記コンテキストを生成するための情報を送ることを前記送信機に要求するために、前記後続の圧縮されたパケット送信が前記コンテキストを生成するための前記情報を含み損なっていることに応答して、前記送信機に静的な否定応答メッセージを送ることと、  を行わせるためのプログラムコードを備える、非一時的なコンピュータ読み取り可能な媒体。
［Ｃ１２］
前記プログラムコードは、前記コンピュータに、
前記送信機から、前記コンテキストを生成するための前記情報を受信するまで、
前記コンピュータに、前記コード化された否定応答メッセージを送ることを行わせるための前記プログラムコード、または、
前記コンピュータに、前記コード化された否定応答メッセージを送ることを行わせるための前記プログラムコード、および前記コンピュータに、前記静的な否定応答メッセージを送ることを行わせるための前記プログラムコード、
のうちの１つを繰り返すこと
を行わせるようにさらに構成される、Ｃ１１に記載の非一時的なコンピュータ読み取り可能な媒体。
［Ｃ１３］
前記コード化された否定応答メッセージは、前記受信機が動的データ送信に関連する正確な動的コンテキストを欠くことを示す情報を備える、Ｃ１１に記載の非一時的なコンピュータ読み取り可能な媒体。
［Ｃ１４］
前記静的な否定応答メッセージは、前記受信機が前記圧縮されたパケット送信に関連する前記コンテキストを欠くことを示す情報を備える、Ｃ１１に記載の非一時的なコンピュータ読み取り可能な媒体。
［Ｃ１５］
前記コード化された否定応答メッセージは、エラー検査メカニズムを備える、Ｃ１１に記載の非一時的なコンピュータ読み取り可能な媒体。
［Ｃ１６］
ワイヤレス通信のために構成された装置であって、
送信機から圧縮されたパケット送信を受信するための手段と、
前記圧縮されたパケット送信に関連するコンテキストを決定するための手段と、
前記圧縮されたパケット送信が未知のコンテキストに関連すると決定することに応答して、受信機から前記送信機へ、周期的冗長検査（ＣＲＣ）で保護されたコード化された否定応答メッセージを送るための手段と、
前記送信機から後続のパケット送信を受信するための手段と、
前記コンテキストを生成するための情報を送ることを前記送信機に要求するために、前記後続の圧縮されたパケット送信が前記コンテキストを生成するための前記情報を含み損なっていることに応答して、前記送信機に静的な否定応答メッセージを送るための手段と、
を備える、装置。
［Ｃ１７］
前記送信機から、前記コンテキストを生成するための前記情報を受信するまで、
前記コード化された否定応答メッセージを送るための前記手段、または、
前記コード化された否定応答メッセージを送るための前記手段、および前記静的な否定応答メッセージを送るための前記手段、
のうちの１つを繰り返すための手段
をさらに備える、Ｃ１６に記載の装置。
［Ｃ１８］
前記コード化された否定応答メッセージは、前記受信機が動的データ送信に関連する正確な動的コンテキストを欠くことを示す情報を備える、Ｃ１６に記載の装置。
［Ｃ１９］
前記静的な否定応答メッセージは、前記受信機が前記圧縮されたパケット送信に関連する前記コンテキストを欠くことを示す情報を備える、Ｃ１６に記載の装置。
［Ｃ２０］
前記コード化された否定応答メッセージは、エラー検査メカニズムを備える、Ｃ１６に記載の装置。